(57)【要約】【課題】  気化対象溶液を安価に安定して気化させる装置を提供すること。【解決手段】  空気を吸引するために用いられる軸流ファン（７）と、気化対象溶液（１３）を貯蔵する水槽（１２）と、軸流ファン７により発生した渦巻き風（１４）を絞り込み、速度を上げて水槽（１２）の周辺部に誘導してするための風洞（９）とを含み、風洞（９）による渦巻き風（１５）により気化対象溶液（１３）の表面に渦巻き波浪（１６）を発生させて気化を促進する。【選択図】  図１
2010110674.tif 000002
【特許請求の範囲】
【請求項１】
空気を吸引するために用いられる軸流ファンと、気化対象溶液を貯蔵する水槽と、軸流ファンにより発生した渦巻き風を誘導して渦巻き波浪を発生させる風洞とを含むことを特徴とする液体気化装置。
【請求項２】
軸流ファンを定常運転時以外は弱運転にして送風を持続させ、気化化された気体がファンに付着して損傷を与えることを防ぐことを特徴とする請求項１に記載の液体気化装置。
【請求項３】
水槽を透明な材料にし、さらに風洞に気化対象溶液面を照射するように発光ダイオードを備え、気化対象溶液と水槽を通過した陰影を下方向に写し出すことを特徴とする請求項１に記載の液体気化装置。
【発明の詳細な説明】
【技術分野】
【０００１】
本発明は、渦巻き風力を利用して、液体を気化させるための装置に関する。
【背景技術】
【０００２】
従来、液体を気化させるには超音波による方法、空気圧を利用したノズルによる方法、加熱蒸発方法などが存在している。しかし、超音波とノズルの場合、ミストサイズが大きく溶液の消費が大きく無駄が大きい。加熱蒸発方法では多くのエネルギーが必要であり温風による環境への影響もある。加湿フィルターに風を当て、フィルターが吸い上げた溶液を気化させる方法もある。
【特許文献１】特許公開２００８−２１９０２６
【特許文献２】特許公開２００６−２７２１２０
【発明の開示】
【発明が解決しようとする課題】
【０００３】
比較的高い濃度の溶液の微細ミストを発生させるには、対象溶液を希釈してから前記各種方法で行っている。そのため、必要な量をミスト化するのに多くの無駄なエネルギーを要している。高濃度溶液のままでのミスト化は装置の耐久性などの点から困難であった。
【０００４】
また、加湿フィルターに風を当る方法では、分子レベルの微細ミストを少ないエネルギーで得ることができるが、加湿フィルターが気化対象溶液を毛細管現象で吸い上げるため、高濃度溶液の場合、加湿フィルターの毛細管を詰まらせて気化能力を低下させるため、気化対象溶液が制限される問題があった。
【０００５】
また、常温状態で液面に風を当て液表面から気化させる場合、気化量を増やすためには広い液表面積を必要とし、装置が大きくなり実用的ではなかった。
【０００６】
また、ファンの停止時に、気化した気体によりファンの駆動部や電子回路が腐食などの損傷を受け易すかった。そのため、ファンを防水構造にするとか、ファンの羽根とモーターを分離したベルト駆動方式にするなど高価格化に問題があった。
【課題を解決するための手段】
【０００７】
（請求項１記載の発明の特徴）
請求項１に記載の発明は、液体気化装置に係わり、空気を吸引するために用いられる軸流ファンと、気化対象溶液を貯蔵する水槽と、軸流ファンにより発生した渦巻き風を誘導して渦巻き波浪を発生させる風洞とを含むことを特徴とする。
【０００８】
請求項１に記載の発明によれば、風洞の形状はファンによる渦巻き風を絞り込み、さらに水槽の周辺部に誘導するように作られている。渦巻き風は気化対象溶液面に渦巻き波浪を発生させ、気化対象溶液の気化面積を増加させて気化量増やし、さらに渦巻き波浪が気化対象溶液を回転させて攪拌することができる。気化された気体は排気ダクト１１を通り排気口１０から放出される。
【０００９】
（請求項２記載の発明の特徴）
請求項２に記載の発明によれば、請求項１に記載の発明の構成要素を備えた上で、軸流ファンを定常運転時以外に弱運転にして送風を持続させ、気化化された気体がファンに付着して損傷を与えることを防ぐことを特徴とする。
【００１０】
請求項２に記載の発明によれば、オン・オフタイマーを組み込んだコントローラーを使用することで、オン時には軸流ファンを強運転、オフ時には軸流ファンを停止せずに弱運転で送風を持続するため、気化した気体がファンに付着しないので、ファンの損傷を防ぐことができる。
【００１１】
（請求項３記載の発明の特徴）
請求項３に記載の発明によれば、請求項１に記載の発明の構成要素を備えた上で、水槽を透明な材料にし、さらに風洞に気化対象溶液面を照射するように発光ダイオードを備え、気化対象溶液と水槽を通過した陰影を下方向に写し出すことを特徴とする。
【００１２】
請求項３に記載の発明によれば、水槽を透明な材料にすることで、気化対象溶液の消費状況を外部から目視で確認ができる。さらに、風洞に備えた発光ダイオードが気化対象溶液と水槽を通過した揺らぎのある陰影を下方に写し出し、癒し効果を提供できる。
【発明の効果】
【００１３】
本発明の液体気化装置にあっては、風洞を使用した渦巻き風力による渦巻き波浪による気化量は、同一条件の風洞の無い場合に比べ５０％以上多いことが測定された。（図４）
また、風洞により気化対象溶液の波浪による回転が風洞の無い場合に比べて早いことも測定された。また、エネルギー源はコントローラーの電子回路と小型の軸流ファンだけのため、従来のノズル方式や熱放散の消費電力に比べて数分の１と大幅に少なく、省エネルギーを実現できる。
【００１４】
また、気化量は気化対象溶液の濃度に影響され難くい。さらに、フィルターなどの消耗媒体を使用していないため、気化対象溶液の種類に影響されずに装置の耐久性が高い。
【００１５】
また、コントローラーがファンの定常運転時（強運転）以外を弱運転にして送風を持続させることで、気化した腐食性の気体によるファンの損傷を防ぐことができる。
【００１６】
また、水槽を透明なガラス製にすることで、気化対象溶液の消費状況を外部から目視で確認ができる。
【００１７】
また、本気化装置を高所に設置することで、風洞内に取り付けた発光ダイオードの光が気化対象溶液と透明な水槽を通過して床面に揺らぎのある陰影を映し出し癒し効果を得られる。
【発明を実施するための最良の形態】
【００１８】
以下、図面に基づき、本発明に係わる液体気化装置の実施形態を説明する。
図１は、本発明に係わる液体気化装置を模擬的に示す概略断面図であり、装置のカバー１の頂部に空気を取り込むための吸気口３と吸気フィルター２を備え、さらに電源の取り込み用の電源コネクター４とファンを制御するコントローラー５を備えている。
【００１９】
ファン取付板６は軸流ファン７と吸気ダクト８と排気ダクト１１を備え、また軸流ファン７の風下側に取り込んだ空気を誘導する風洞９を配置している。
【００２０】
ファン取付板６はカバー１にネジで固定され、水槽１２にのせる。水槽１２には気化対象溶液１３を規定の量だけ入れる。規定の量とは水槽１２の気化対象溶液１３の液面と風洞９の下端との間に風洞９の高さ程度の空間を残す量を指す。
【００２１】
電源が入ると軸流ファン７が回転し、ファンの羽根の形状と回転方向により右又は左回転の渦巻き風１４が発生する。風洞９はこの渦巻き風を絞り込み、速度を上げながら水槽１２の周辺部に渦巻き風１５を誘導し、気化対象溶液１３に渦巻き波浪１６を発生させる。この波浪が気化対象溶液１３を回転させる。溶液の回転１７は混合溶液の場合には気化対象溶液１３を攪拌して溶液の分離を防ぐことができる。
【００２２】
図２は、風洞の働きを模擬的に示したもので、風洞９は風洞取付板９１に固定された風洞外筒９２と、風洞内筒支持板９４により風洞外筒９２に固定された風洞内筒９３から構成されている。軸流ファン７による渦巻き風１５が風洞９の外筒９２と内筒９３との間を通る際に速度を増し、水槽の周辺部に広がっていき、気化対象溶液１３に衝突し渦巻き波浪１６を発生させる。
【００２３】
図３は、本発明の液体気化装置を透明な設置台１９にのせて、発光ダイオード９６による揺らぎのある陰影の発生を模擬的に示したもので、風洞の内筒９３の内側に下向に発光ダイオード９６を配置し、発光ダイオード９６の光が気化対象溶液１３の波浪を通過し、さらに透明な水槽１２の底を通過して設置台１９の底部に、発光ダイオードによる揺らぎのある陰影を写し、癒しを与えることができる。
【図面の簡単な説明】
【００２４】
【図１】本発明に係わる液体気化装置を模擬的に示す概略断面図である。
【図２】本発明に係わる風洞の働きを示す風洞の概略断面図である。
【図３】本発明に係わる発光ダイオードの光による波浪の陰影の発生を模擬的に示す概略断面図である。
【図４】本発明装置による気化量を風洞の有無による気化量の差を測定した結果である。
【符号の説明】
【００２５】
１  カバー
２  吸気フィルター
３  吸気口
４  電源コネクター
５  コントローラー
６  ファン取付板
７  軸流ファン
８  吸気ダクト
９  風洞
１０  排気口
１１  排気ダクト
１２  水槽
１３  気化対象溶液
１４  ファンによる渦巻き風
１５  風洞により発生した渦巻き風
１６  渦巻き風により発生した波浪
１７  波浪により発生した溶液の回転
１８  気化した液体分子
１９  透明な設置台
９１  風洞取付板
９２  風洞外筒
９３  風洞内筒
９４  風洞内筒支持板
９５  渦巻き風の広がり方向
９６  発光ダイオード
９７  灯かりの広がり
９８  波浪の揺らぎを写す陰影
【図１】
2010110674.tif 000003
【図２】
2010110674.tif 000004
【図３】
2010110674.tif 000005
【図４】
2010110674.tif 000006